(57)【要約】【課題】  従来の空気浄化装置では完全に煙草の煙を直接吸引し処理しても、集塵フィルターや電気集塵器等では100％完全に粉塵を捕集することはできず、煙草の煙に含まれる多種の臭気成分も活性炭フィルターや光触媒脱臭等では完全に吸着または分解することはできない。従って、これらの粉塵、臭気成分、ガス状の有害物質を含む処理後の空気を非喫煙空間へ排気することは、人間の健康に深刻な被害を与える恐れがある。【解決手段】  従来の課題を解決するために、有害物質を含むたばこの煙を空気浄化装置で屋外への排気すると同時に、喫煙空間を負圧状態に保ち非喫煙空間の清浄空気を利用して生成されるエアーカーテン流で直接吸引できなかった煙草の煙が非喫煙空間へ流出することを防止する空気浄化装置を得るようにした。【選択図】図１
2006038392.tif 000002
【特許請求の範囲】
【請求項１】
喫煙空間と非喫煙空間とを仕切るパーテイションを設け、前記非喫煙空間の空気を前記パーテイションよりエアーカーテンとして吹出す送風装置を設け、前記喫煙空間には汚染された空気を浄化する空気清浄ユニットを設置し、この空気清浄ユニットにより処理した空気を喫煙空間より外部に排出する構成とし、常に喫煙空間が負圧状態となるようにした空気浄化装置。
【請求項２】
空気清浄ユニットには汚染空気を浄化するフィルターを設け、このフィルター目詰まり等による空気清浄ユニットの風量低下にあわせて、前記エアーカーテンとして吹出す空気量を、前記空気清浄ユニットより屋外へ排気される空気量より少なくなるように風量調節して、喫煙空間を非喫煙空間に対して常に負圧状態に保つことを特徴とする請求項１に記載の空気浄化装置。
【請求項３】
前記パーテイションに複数の吹出口を設け、多方向へエアーカーテンを吹出すことを特徴とする請求項１または請求項２に記載の空気浄化装置。
【請求項４】
エアーカーテンの吹出し方向を鉛直方向から喫煙空間側へ０°〜４５°傾けたことを特徴とする請求項１〜請求項３に記載の空気浄化装置。
【請求項５】
パーテイションの上方または側方に、エアーカーテンの吸引部を設けたことを特徴とする請求項１〜請求項４に記載の空気浄化装置。
【請求項６】
人を検出する装置を備え、エアーカーテンの流路上を人が通過する時、一時的にエアーカーテンを形成する送風機を停止することを特徴とする請求項１〜請求項５に記載の空気浄化装置
【発明の詳細な説明】
【技術分野】
【０００１】
この発明は、喫煙所等の煙草の煙や塵埃等を含む空間に設置される喫煙用空気浄化装置に関するものである。
【背景技術】
【０００２】
従来の空気浄化装置は、空気清浄ユニット本体箱体の側部にパネルを取付け、このパネルに喫煙空間と非喫煙室内空間を区分けするエアーカーテンを形成する空気通路と吹出口を設け、前記喫煙空間に設けた空気清浄ユニット本体箱体にエアーカーテンを形成する空気を送り込むようにするとともに喫煙空間部の空気清浄ユニットで浄化された空気の一部が上記非喫煙空間のパネルに設けた上方排出口よりエアーカーテンとして吹出すように構成し、残りの浄化空気はパネル下部に設けた吹出口より非喫煙空間に吹出して非喫煙空間が加圧状態となるようにしている。これにより喫煙空間内が負圧状態となるように設定して喫煙空間の煙や処理できない汚染空気が負圧状態の喫煙空間から非喫煙空間に出ないようにした空気浄化装置がある。
【０００３】
【特許文献１】特開２００１−１７４０１１号公報
【発明の開示】
【発明が解決しようとする課題】
【０００４】
従来の空気浄化装置では、直接吸引した煙草の煙を処理して屋内に排気する方式であり、直接吸引できなかった煙草の煙に関しては、喫煙空間内に拡散してしまう。この課題を解決するために、喫煙空間内に拡散してしまった煙草の煙に関しては、喫煙空間を非喫煙空間に対して常に負圧状態に保つことをエアーカーテンによりおこなって、喫煙空間内に拡散した煙草の煙を非喫煙空間に流出させないようにしている。ここで、喫煙空間を非喫煙空間に対して常に負圧を実現するために、吸引した煙草の煙を空気清浄ユニットで処理したのち、非喫煙空間へ排気している。しかしながら、従来特許文献１に示す空気浄化装置では、煙草の煙を直接吸引しても集塵フィルターや電気集塵器等では100％完全に粉塵を捕集することはできないし、煙草の煙に含まれる多種の臭気成分に関しても活性炭フィルターや光触媒脱臭等を用いても完全に吸着または分解することはできない。さらに、煙草の煙に含まれる一酸化炭素や窒素酸化物に代表される人間の健康に悪影響を及ぼすガス状の有害物質に関しては、そのほとんどが除去できないことが分かっている。これらの粉塵、臭気成分、ガス状の有害物質を含む処理後の空気を非喫煙空間の屋内に排気することは、人間の健康に深刻な被害を与える恐れがあり避けるべきである。
【０００５】
逆に、換気扇に代表される従来の屋外への排気装置は、吸引した煙草の煙を確実に屋外へ排気することは可能であるが、煙草の煙を直接吸引できる範囲が狭い。つまり、いったん屋内に拡散した煙は時間をかけて排出する方式であり、周囲の非喫煙者が拡散した煙を吸込むことは避けられず、喫煙対策として利用するには効果が小さい。
【０００６】
本発明は係る従来の課題を解決するためになされたものであり、有害物質を含むたばこの煙を屋外への排気すると同時に、喫煙空間を負圧状態に保ち非喫煙空間の清浄空気を利用して生成されるエアーカーテンで直接吸引できなかった煙草の煙が非喫煙空間へ流出することを防止する空気浄化装置を得ることを目的とする。また、これにより非喫煙者への受動喫煙の被害を確実に防止する。
【課題を解決するための手段】
【０００７】
本発明は煙草の煙が非喫煙空間へ流出するのを防止することを特徴とする空気浄化装置であって、その手段として煙草の煙を吸引する送風機と煙草の煙や室内の塵埃等を捕集するフィルターとこれらをおさめて通風路を構成し吸込口と吹出口を有する箱体と、箱体の非喫煙空間側に設けられ非喫煙空間側の清浄空気を用いてエアーカーテンを生成する機能を有するパーテイションを具備し、前記空気清浄ユニットの吹出し口からの汚染空気を直接屋外へ排出する構造としたものである。
【発明の効果】
【０００８】
この発明は、直接吸引した煙草の煙を屋外へ排気することにより空気清浄ユニットで処理できなかった物質を屋内に滞留するのを防止する効果がある。さらに、屋外への排気量をパーテイションから吹出されるエアーカーテン生成のために吸込まれる非喫煙空間の清浄空気量より多くすることで喫煙空間を非喫煙空間に対して負圧することと、固体壁であるパーテイションからエアーカーテンを吹出すことで直接吸引できなかった煙草の煙が非喫煙空間へ流出することを防止し非喫煙者の受動喫煙を防止することができる効果がある。
【発明を実施するための最良の形態】
【０００９】
実施の形態１．
図１は実施の形態１の斜視図である。図１図２において空気清浄ユニットの箱体１の上面に煙草の煙等の吸込口５を設け、底面または側面に浄化した空気の吹出口６を設ける。箱体上部には吸込口５と同程度の面積の開口部を設けた灰皿等が置くことのできるテーブル板１３を取付ける。箱体１の非喫煙空間１２側に、喫煙空間１１と非喫煙空間１２を仕切るパーテイション２を設ける。パーテイション２には非喫煙空間の空気を吸込む吸込口７と、エアーカーテン９を形成するようにパーテイション上方に吹出口８が設けられている。
【００１０】
図２は実施の形態１の部屋に設置した縦断面図である。前記箱体１の内部には喫煙空間１１の汚染空気を吸引する送風機３ａとこの送風機の通風路３ｃにシール性のよいフィルター４が設けてある。喫煙空間１１の床面Ｄ、天井Ｅ、壁面Ｆまたは窓等のいずれかに屋内と屋外を連通するように排気通路１０Ａを備え、この室外側に排気口１０が設けてある。前記箱体１の下面吹出口６と排気口１０は上記排気通路１０Ａで連通させてある。
【００１１】
箱体１にエア−カーテン９をつくるための送風機３ｂと通風路Ｒを設ける。また、パーテイション２内にもエア−カーテンをつくるための通風路２Ａを設ける。パーテイションから吹出されるエア−カーテン９は、吹出し部８に設けられた風向調整板（図示せず）により鉛直方向から喫煙空間１１側へ０°〜４５°傾けて吹出すようにしてある。
このように喫煙空間に傾けることにより非喫煙空間への汚染空気の進入をより効果的に防止できる。
【００１２】
上記のように構成された空気清浄装置の作用を以下に説明する。喫煙空間１１で喫煙がなされた場合、箱体１に設けられた送風機３ａにより煙草の煙を拡散する前に直接箱体吸込口５から吸引し、通風路に設けられたフィルター４にて浄化処理したのち箱体吹出口６より排出する。箱体吹出口６より排出された空気は箱体吹出口６と連通した屋外への排気口１０へ流入し屋外へ排出される。
【００１３】
直接吸引できなかった煙草の煙は喫煙空間１１内に拡散してしまうが、空気清浄ユニット箱体１に吸引された空気は屋外へ排出されることにより、喫煙空間１１内は非喫煙空間１２に対して常に負圧状態を維持することとなり、非喫煙空間１２への煙草の煙の拡散を防止することができ、非喫煙者の受動喫煙を防止することが可能である。
【００１４】
さらに、箱体１に設けられた送風機３ｂが非喫煙空間１２の清浄空気をパーテイション吸込口７から吸引し、パーテイション２内の通風路２Ａを経由してパーテイション吹出口８からエアーカーテン９を発生させ、煙草の煙が非喫煙空間へ流出するのを防止することが可能である。
【００１５】
エアーカーテン９はパーテイション２から複数方向に吹出し、さらにその吹出し角度を鉛直方向から喫煙空間１１側へ傾けることにより煙草の煙が非喫煙空間へ流出するのを防止する。
【００１６】
本実施の形態によれば、喫煙空間１１内における喫煙により発生した煙草の煙は、その大部分が直接吸引されて屋外へ排出され、残りは喫煙空間１１に拡散するが、喫煙空間１１が非喫煙空間１２に対して負圧状態であることと、非喫煙空間１２から吸引した清浄空気によるエアーカーテン９の作用により非喫煙空間１２に流出することはなく、非喫煙者に受動喫煙の被害を与えることがなくなる。
【００１７】
実施の形態２．
図３は実施の形態２に関する送風機の制御フロー図である。図１の喫煙空間１１を非喫煙空間１２に対して常に負圧状態に保つためにエアーカーテン９を生成する送風機３ｂの風量Ｑｂを制御することに関するものであり、その他の構成については図１同様なので省略する。
【００１８】
制御回路１６は箱体１の中に設けられており、箱体１に設けられた送風機３ａの風量Ｑａおよび送風機３ｂの風量Ｑｂの制御を行うものである。
【００１９】
制御回路１６は送風機３ａの電流を読み取り、風量Ｑａを推定し、それに応じて送風機３ｂの風量ＱｂをＱａより小さくなるように制御する。これにより常に排気空気量が大きくなるので喫煙空間は非喫煙空間より負圧状態が維持される。
【００２０】
送風機３ａの風量Ｑａを推定には他にも羽根の回転数、風速や圧力を測定するという手段を用いても可能である。
【００２１】
本実施の形態２によれば、空気清浄ユニット箱体１に設けられたフィルター４が、吸引した空気に含まれる塵埃等を捕集することにより目詰まりを起こし、送風機３ａの風量Ｑａ低下の原因となった場合でも、送風機３ｂの風量を減らすことで喫煙空間１１を非喫煙空間１２に対して常に負圧状態に保つことが可能となり、煙草の煙が非喫煙空間１２へ流出することを防止できる。
【００２２】
実施の形態３．
図４は実施の形態３に関する図である。本形態はエアーカーテン９による空間分離をより有効にするために、エアーカーテン９の吹出し方向の天井付近に吸引部１５を設けたものである。その他の構成については実施の形態１の図１と同じなので説明を省略する。
【００２３】
箱体1に取付けたパーテイション２には伸縮自在で内部に通風路を有する保持部１６とエアーカーテン９の吸引口１５ａを有する吸引部１５から構成されており、保持部１６の内部を風路とし箱体１の通風路に連通することで送風機３ａが吸引して室外へ排出する。
【００２４】
本実施の形態３に示すように吸引口１５を設けることで、エア−カーテン９が天井や壁面に衝突して、気流が乱れることなく、更にエアーカーテンの流速減衰を抑えることができるため、喫煙空間１１と非喫煙空間１２の両側へ拡散する場合よりもより効果的に空間を分離遮断し、非喫煙空間に煙草の煙が拡散することを防止することが可能である。
【００２５】
実施の形態４．
図５は実施の形態４の構成を示す図である。本形態は喫煙室からの屋外への排気方式が異なるのみで、その他の構成は実施の形態１と同様なので構成の説明は省略する。
【００２６】
図５において、屋外への排気風路１０Ａの途中に熱交換器１７を設け、屋内からの排気空気と屋外からの給気空気の間で熱交換を行う。熱交換を行った排気空気は屋外へと排気され、屋外からの給気空気は給気通路１７Ａより非喫煙空間１２内に設けられた給気口１８より屋内に給気される。
【００２７】
本実施の形態によれば、非喫煙空間に清浄な屋外の空気を供給し非喫煙空間１２を快適に保つと同時に、喫煙空間１１を常時負圧に維持することができる。さらに、冷暖房時では、吸引した煙草の煙を含む冷暖房空気を屋外に排気することになり室内空調負荷が非常に大きくなってしまうが、熱交換を行うことでエネルギーロスを最小限に抑える省エネ効果を同時に得ることができる。
【００２８】
実施の形態５．
図６は実施の形態５の構成を示す図である。本形態はエアーカーテン９の運転制御に関する部分が異なるのみで、その他の構成は実施の形態１と同様なので説明は省略する。
【００２９】
箱体１またはパーテイション２に人の動きを検出することができるセンサ１９を取付け、このセンサ１９からの信号によりエアーカーテンの障害物となる人の接近を検出した場合は、側方に吹出す送風機３ｂを停止しエアーカーテンが一時的に停止する。そののち、センサ１９が人を検知しなくなってから一定時間経過後に送風機３ｂの運転を再開し、喫煙空間と非喫煙空間をエアーカーテンで遮断する。
【００３０】
本実施の形態によれば、喫煙空間１１と非喫煙空間１２を区分するエアーカーテンのうち側方へ吹出す流れが障害物によって乱され、非喫煙空間へ流出することを防止することができる。
【００３１】
実施の形態６．
図７、８は実施の形態６の構成を示す図である。本形態は箱体１の非喫煙空間側に設けるパーテイション２の大きさを変化させることに関するものであり、その他の構成は実施の形態１と同様なので説明は省略する。
【００３２】
パーテイション２を鉛直上方や略水平方向に追加設置可能な構造とする。図７は鉛直方向に追加した場合の斜視図であり、図８は空気浄化装置を部屋のコーナー部に設置し、パーテイション２に直角方向にパーテイション２ａを追加した場合の斜視図である。
【００３３】
煙草の煙を喫煙空間から非喫煙空間へ流出させないためには、非喫煙空間から喫煙空間へ向かって０．２ｍ/ｓ以上の風を流すことが有効であることが知られている。しかしながら、広い空間の一部や天井が高い場所で喫煙コーナーを設けた場合、喫煙空間１１と非喫煙空間１２の境界の断面積は大きくなるため、前記風量Ｑａ＞Ｑｂすなわち喫煙空間を負圧としても、非喫煙空間から喫煙空間へ流れる風の流速は非常に遅く、わずかな外乱でも乱れやすく、非喫煙空間１２にたばこの煙が拡散するおそれがある。
【００３４】
本実施の形態によれば、パーテイションの面積を大きくすることで喫煙空間１１と非喫煙空間１２の境界における開口部の断面積を小さくし、非喫煙空間１２から喫煙空間１１へ流入する流量は一定のままで風速を速くし、煙草の煙が喫煙空間から非喫煙空間に流出することを防止する。
【００３５】
実施の形態７．
図９は実施の形態７の構成を示す図である。本形態は箱体１の非喫煙空間側に設けるパーテイション２を空気浄化装置から分離可能にしたものであり、その他の構成は実施の形態１と同様なので説明は省略する。
【００３６】
エアーカーテンを形成する送風機３ｂを設けたパーテイション２を、空気浄化装置から分離可能な構造とし、任意の位置に設置する。
【００３７】
本実施の形態によれば、パーテイション２を任意の位置に設置することで喫煙空間１１の大きさを喫煙者数にあわせて任意に設定できるとともに、喫煙が行われる空気浄化装置の位置を非喫煙空間１２との境界から離すことで、より確実に煙草の煙の流出を防止することができる。
【産業上の利用可能性】
【００３８】
本発明は、喫煙室等に設置される空気浄化装置に関するものであり、喫煙空間から非喫煙空間への煙草の煙の流出を防ぎ、非喫煙者が受動喫煙の被害を受けることを防止することが可能となる。
【図面の簡単な説明】
【００３９】
【図１】本発明の実施の形態１に係る斜視図
【図２】本発明の実施の形態１に係る縦断面図
【図３】本発明の実施の形態２に係る送風機制御のフローチャート
【図４】本発明の実施の形態３に係る斜視図
【図５】本発明の実施の形態４に係る縦断面図
【図６】本発明の実施の形態５に係る斜視図
【図７】本発明の実施の形態６に係る斜視図
【図８】本発明の実施の形態６に係る斜視図
【図９】本発明の実施の形態７に係る縦断面図
【符号の説明】
【００４０】
１  箱体、２  パーテイション、３ａ  送風機、３ｂ  送風機、４  フィルター、５  箱体吸込口、６  箱体吹出口、７  パーテイション吸込口、８  パーテイション吹出口、９  エアーカーテン流、１０  排気口、１１  喫煙空間、１２  非喫煙空間、１３  テーブル板、１４  制御回路、１５  吸引部、１６  保持部、１７  熱交換器、１８  給気口、１９  センサ
【図１】
2006038392.tif 000003
【図２】
2006038392.tif 000004
【図３】
2006038392.tif 000005
【図４】
2006038392.tif 000006
【図５】
2006038392.tif 000007
【図６】
2006038392.tif 000008
【図７】
2006038392.tif 000009
【図８】
2006038392.tif 000010
【図９】
2006038392.tif 000011